(57)【要約】  情報処理システム１は、被検体の生体組織を処置するための処置装置における処置部２１ａへのエネルギー出力に関する情報に基づいて統計データを生成する統計データ生成部５２３と、統計データを表示部に表示させる出力部６３３と、を備える。
2018220925.tif 000002
【特許請求の範囲】
【請求項１】
被検体の生体組織を処置するための処置装置における処置部へのエネルギー出力に関する情報に基づいて統計データを生成する統計データ生成部と、
前記統計データを表示部に表示させる表示制御部と、を備えることを特徴とする情報処理システム。
【請求項２】
前記統計データ生成部は、前記処置部へのエネルギー出力が継続された時間について統計データを生成することを特徴とする請求項１に記載の情報処理システム。
【請求項３】
前記統計データ生成部は、処置された生体組織の部位、前記処置装置の種類、または前記処置部へのエネルギー出力の出力モードの少なくとも１つと、前記処置部へのエネルギー出力が継続された時間との関連性を示す統計データを生成することを特徴とする請求項１または２に記載の情報処理システム。
【請求項４】
前記統計データ生成部は、前記処置部へのエネルギー出力が継続された時間と、前記処置部へのエネルギー出力を自動的に変化させるための制御の発生との関連性を示す統計データを生成することを特徴とする請求項１から３のいずれかに記載の情報処理システム。
【請求項５】
前記統計データ生成部は、前記処置部へのエネルギー出力の出力モードと、前記処置部へのエネルギー出力を自動的に変化させるための制御の発生との関連性を示す統計データを生成することを特徴とする請求項１から４のいずれかに記載の情報処理システム。
【請求項６】
前記統計データ生成部は、前記処置装置の動作チェックについての統計データを生成することを特徴とする請求項１から５のいずれかに記載の情報処理システム。
【請求項７】
前記統計データ生成部は、処置された生体組織の部位、前記処置装置の種類、前記処置部へのエネルギー出力の出力モード、前記処置部へのエネルギー出力が継続された時間の少なくとも１つと、前記処置部へのエネルギー出力におけるエラー情報との関連性を示す統計データを生成することを特徴とする請求項１から６のいずれかに記載の情報処理システム。
【請求項８】
前記統計データ生成部により生成された統計データに基づいて、前記処置部へのエネルギー出力操作についての改善ポイントを提供する分析部をさらに備えることを特徴とする請求項１から７のいずれかに記載の情報処理システム。
【請求項９】
前記統計データ生成部は、実質的にリアルタイムに統計データを生成し、
前記表示制御部は、リアルタイムに生成された前記統計データを表示部に即時に表示させることを特徴とする請求項１から８のいずれかに記載の情報処理システム。
【請求項１０】
被検体の生体組織を処置するための処置装置における処置部へのエネルギー出力に関する情報に基づいて生成された統計データを出力する出力部を備えることを特徴とする情報処理装置。
【請求項１１】
被検体の生体組織を処置するための処置装置における処置部へのエネルギー出力に関する情報により生成された統計データに基づいて提供される、前記処置部へのエネルギー出力操作についての改善ポイントを出力する出力部を備えることを特徴とする情報処理装置。
【発明の詳細な説明】
【技術分野】
【０００１】
本発明は、情報処理システムおよび情報処理装置に関する。
【背景技術】
【０００２】
超音波エネルギーや熱エネルギーなどによって被検体の生体組織を処置する処置装置が知られている。処置装置は、エネルギーが出力される処置部と、処置部に対して開閉可能なジョーとを備える。処置部とジョーとで処置対象である被検体の生体組織を把持した状態で処置部にエネルギーを出力することにより、処置対象が処置される。
【先行技術文献】
【特許文献】
【０００３】
【特許文献１】国際公開第２００９−０７２３３８号
【発明の概要】
【発明が解決しようとする課題】
【０００４】
生体組織の処置が完了しているにもかかわらず処置部へのエネルギー出力が継続されると、超音波エネルギーや熱エネルギーにより処置部が劣化あるいは破壊されるおそれがある。【０００５】
本発明はこうした状況に鑑みなされたものであり、その目的は、被検体の生体組織を処置するための処置装置を操作する操作者に対して、エネルギー出力に関する操作を改善するための情報を提供する技術を提供することにある。
【課題を解決するための手段】
【０００６】
上記課題を解決するために、本発明のある態様の情報処理システムは、被検体の生体組織を処置するための処置装置における処置部へのエネルギー出力に関する情報に基づいて統計データを生成する統計データ生成部と、統計データを表示部に表示させる表示制御部と、を備える。【０００７】
本発明の別の態様は、情報処理装置である。この装置は、被検体の生体組織を処置するための処置装置における処置部へのエネルギー出力に関する情報に基づいて生成された統計データを出力する出力部を備える。【０００８】
本発明のさらに別の態様もまた、情報処理装置である。この装置は、被検体の生体組織を処置するための処置装置における処置部へのエネルギー出力に関する情報により生成された統計データに基づいて提供される、処置部へのエネルギー出力操作についての改善ポイントを出力する出力部を備える。【０００９】
なお、以上の構成要素の任意の組み合わせ、本発明の表現を方法、装置、システム、記録媒体、コンピュータプログラムなどの間で変換したものもまた、本発明の態様として有効である。
【発明の効果】
【００１０】
本発明によれば、被検体の生体組織を処置するための処置装置を操作する操作者に対して、エネルギー出力に関する操作を改善するための情報を提供することができる。
【図面の簡単な説明】
【００１１】
【図１】実施の形態に係る情報処理システムの構成を示すブロック図である。
【図２】ログファイルに出力されたログの一例を示す図である。
【図３】ログ解析画面の一例を示す図である。
【図４】出力自動制御動作状況画面の一例を示す図である。
【図５】第１の変形例に係る情報処理システム１の構成を示すブロック図である。
【図６】第２の変形例に係る情報処理システム１の構成を示すブロック図である。
【図７】第３の変形例に係る情報処理システム１の構成を示すブロック図である。
【図８】第４の変形例に係る情報処理システム１の構成を示すブロック図である。
【発明を実施するための形態】
【００１２】
図１は、実施の形態に係る情報処理システム１の機能および構成を示すブロック図である。情報処理システム１は、処置装置１０と、情報管理装置４０と、管理サーバ５０と、端末装置６０と、を備える。処置装置１０は、被検体の生体組織の切断、封止、凝固、切開等の処置を行う外科手術装置であり、各医療施設が所有する。管理サーバ５０は、処置装置１０を製造、販売するメーカーによって管理されるサーバ、あるいは、クラウドサービス事業者が提供するサーバである。端末装置６０は、そのメーカーの担当者（以下、ユーザともよぶ）に使用される端末装置である。
【００１３】
処置装置１０は、処置具２０と、制御ユニット３０と、を備える。処置具２０は、プローブ２１と、樹脂等からなるパッドを有するジョー（把持部）２２と、出力操作検出部２３と、記憶部２４と、を含む。プローブ２１の先端部分である処置部２１ａとジョー２２のパッドとで被検体の処置対象の生体組織を把持する。この状態で、出力操作検出部２３が操作部（不図示）に対する術者のエネルギー出力操作を検出すると、制御ユニット３０から処置具２０に電力が供給され、プローブ２１にはこの電力に基づく超音波、高周波電流、またはその両方が伝達される。これにより、生体組織を把持している処置部に超音波エネルギー、熱エネルギーまたはその両方が出力され、処置対象が処置される。
【００１４】
記憶部２４は、ＨＤＤ、ＳＳＤ等の不揮発性の記録媒体からなり、処置具情報テーブル２４１を格納する。処置具情報テーブル２４１には、当該処置具２０の種別名が記憶されている。本実施の形態では、超音波エネルギーのみを出力できる「Ａ処置具」と、熱エネルギーと超音波エネルギーを出力できる「Ｂ処置具」のいずれかの種別名が記憶されているものとする。なお、処置具情報テーブル２４１には、処置具２０を一意に識別するための識別情報（例えばシリアル番号）が記憶されていてもよい。
【００１５】
制御ユニット３０は、電源３１と、インピーダンス検出部３２と、通信部３３と、制御部３４と、記憶部３５と、を含む。電源３１は、処置具２０に電力を供給する。インピーダンス検出部３２は、電源３１および制御部３４に電気的に接続される。インピーダンス検出部３２は、例えば検出回路であり、電源３１から供給されている電力のインピーダンス値を検出する。通信部３３は、所定の通信プロトコルに準拠した通信処理を実行する。
【００１６】
制御部３４は、電力制御部３４１と、エラー検出部３４３と、プローブチェック実行部３４４と、ログ出力部３４５と、処置具情報取得部３４６と、データ送信部３４７と、を含む。制御部３４はハードウェア資源とソフトウェア資源の協働、又はハードウェア資源のみにより実現できる。ハードウェア資源としてプロセッサ、ＲＯＭ、ＲＡＭ、その他のＬＳＩを利用できる。プロセッサとしてＣＰＵ、ＧＰＵ等を利用できる。ソフトウェア資源としてオペレーティングシステム、アプリケーション等のプログラムを利用できる。処置具情報取得部３４６は、処置具２０が制御ユニット３０に接続されると、処置具２０の処置具情報テーブル２４１に記憶されている種別名を読み出す。処置具情報取得部３４６は、読み出した種別名を処置具ＩＤとして後述の設定情報テーブル３５２に記憶する。
【００１７】
電力制御部３４１は、電源３１からの電力の供給を制御する。具体的には、電力制御部３４１は、出力操作検出部２３からエネルギー出力操作を検出した旨を示す信号を受信すると、電源３１から処置具２０に電力を供給させる。すなわち、電力制御部３４１は、処置部２１ａにエネルギーを出力させる。
【００１８】
ところで、生体組織の切断等の処置が完了しているにもかかわらず処置部２１ａへのエネルギー出力が継続されると、すなわち処置部２１ａとジョー２２のパッドとが当接した状態で処置部２１ａへのエネルギー出力が比較的長時間継続されると、パッドが摩耗または熱変形しうる。このため、電力制御部３４１は、インピーダンス検出部３２により検出されたインピーダンス値に基づいて、処置部２１ａとジョー２２とで把持されている処置対象が切れ分かれたか否かを判断する。電力制御部３４１は、切れ分かれたと判断した場合、電源３１から処置具２０に供給される電力を下げるあるいは停止する、すなわち処置部２１ａに出力されるエネルギーを下げるあるいは停止する。このとき、エネルギー出力を下げたあるいは停止したことを術者に音声やメッセージ表示で通知してもよい。以下、このようにエネルギー出力を自動的に変化させる制御を、「出力自動制御」とよぶ。ただし、制御ユニット３０の中には、この出力自動制御を有しないものもある。
【００１９】
エラー検出部３４３は、エネルギー出力に関する各種のエラーを検出する。例えばエラー検出部３４３は、処置部２１ａへのエネルギー出力が規定の出力時間（例えば３秒）を超えて継続された場合に、出力時間異常のエラーを検出する。また例えばエラー検出部３４３は、処置具２０に電力を供給するための電気配線が断線した場合に、断線異常のエラーを検出する。また例えばエラー検出部３４３は、プローブチェック（後述）の実行時に検出されるインピーダンス値が所定の範囲内にない場合に、プローブ破損異常のエラーを検出する。
【００２０】
プローブチェック実行部３４４は、不図示のプローブチェックボタンが押されると、プローブチェック（動作チェック）を実行する。具体的には、電源３１から処置具２０に電力を供給させ、そのときのインピーダンス値が所定の範囲内にあるか否かをチェックする。
【００２１】
ログ出力部３４５は、操作ログ、エラーログ、その他のログをログファイル３５３（後述）に出力する。本実施の形態では、すべてのログが１つのログファイル３５３に出力されるものとして説明するが、ログの種別ごとに別個のファイルに出力されてもよい。
【００２２】
データ送信部３４７は、ログファイル３５３に出力されたログを情報管理装置４０に通信部３３を介して送信する。データ送信部３４７がログを送信するタイミングは特に限定されない。データ送信部３４７は、例えば実質的にリアルタイムにログを送信してもよいし、所定の周期（例えば１０分）でログを送信してもよいし、不図示のユーザインタフェース部または情報管理装置４０を介して指示された場合にログを送信してもよい。
【００２３】
記憶部３５は、ＨＤＤ、ＳＳＤ等の不揮発性の記録媒体からなり、処置装置情報テーブル３５１と、設定情報テーブル３５２と、ログファイル３５３と、を格納する。処置装置情報テーブル３５１には、処置装置ＩＤが登録される。処置装置ＩＤは、処置装置１０を一意に識別するための識別情報であり、本実施の形態では処置装置１０のシリアル番号である。
【００２４】
設定情報テーブル３５２には、医療施設ＩＤ、診療科ＩＤ、処置具ＩＤ、術者ＩＤ、症例ＩＤおよび部位ＩＤが登録される。これらは、不図示のユーザインタフェース部または情報管理装置４０を介して登録される。医療施設ＩＤ、診療科ＩＤはそれぞれ、処置装置１０を使用している医療施設、診療科を一意に識別するための識別情報であり、本実施の形態では医療施設名、診療科名である。医療施設ＩＤ、診療科ＩＤは、初期設定時等に予め登録されてもよく、処置装置１０を手術に使用する際に登録されてもよい。処置具ＩＤは、処置具の種別を識別するための識別情報であり、本実施の形態では処置具の種別名である。なお、処置具ＩＤは、処置具２０を一意に識別するための識別情報、例えば処置具２０のシリアル番号であってもよい。処置具ＩＤは、処置具情報取得部３４６により登録される。術者ＩＤは、術者を一意に識別するための識別情報であり、本実施の形態では術者氏名である。症例ＩＤは、症例を一意に識別するための識別情報であり、本実施の形態では症例名である。術者ＩＤ、症例ＩＤは、処置装置１０を手術に使用する際に登録される。部位ＩＤは、処置装置１０により処置される生体の部位を一意に識別するための識別情報であり、本実施の形態では生体の部位名（例えば、臓器名、臓器内の領域の名称、血管名など）である。部位ＩＤは、手術中に、手術の進行に合わせて登録される。
【００２５】
図２は、ログファイル３５３に出力されたログの一例を示す。図２に示すログは、デリミタ文字が「,」（カンマ）であり、ログが出力された時刻すなわち操作が実施されたまたはエラーが発生した時刻を示すタイムスタンプと、操作またはエラーに関する情報と、医療施設ＩＤと、診療科ＩＤと、処置装置ＩＤと、処置具ＩＤと、術者ＩＤと、症例ＩＤと、部位ＩＤと、を含む。医療施設ＩＤ、診療科ＩＤ、処置装置ＩＤ、処置具ＩＤ、術者ＩＤ、症例ＩＤ、および部位ＩＤは、処置装置情報テーブル３５１および設定情報テーブル３５２に登録されている情報である。つまり、ログ出力部３４５は、処置装置情報テーブル３５１および設定情報テーブル３５２を参照してこれらの情報を出力する。
【００２６】
ログ７１は、制御ユニット３０を起動したときのログを示す。
ログ７２は、プローブチェックを実行したときのログを示す。
【００２７】
ログ７３、ログ７４はそれぞれ、処置部２１ａへのエネルギー出力を開始、終了したときのログを示す。これらのログは、術者がエネルギー出力操作を開始、終了したとき、すなわち処置具２０の出力操作検出部２３が術者による操作を検出し、その旨を示す信号を制御ユニット３０の制御部３４が受信したときに出力されてもよく、プロセッサがエネルギー出力の制御を開始、終了したとき、すなわち電力制御部３４１が電力供給（エネルギー出力）の制御を開始、終了したときであってもよい。エネルギー出力操作の開始のタイムスタンプと、エネルギー出力操作の終了のタイムスタンプとの差が、エネルギー出力の出力時間である。
【００２８】
また、エネルギー出力操作の開始、終了のログには、エネルギー出力の出力モードとその出力レベルが出力される。ここで、Ａ処置具を使用している場合は、生体組織を切断するモード１と生体組織を封止および切断するモード２との２つの出力モードを選択でき、Ｂ処置具を使用している場合は、生体組織を凝固および切開するモード３と生体組織を凝固するモード４との２つの出力モードを選択できる。選択された出力モード、出力レベルについての情報は、出力操作検出部２３から送信される信号に含まれる。図２のログ７３の例では、出力モードがモード１で出力レベルがレベル１のエネルギー出力操作が実施されたことが示されている。
【００２９】
ログ７５は、エラーコード「Ｅｒｒ０１」のエラーが発生したときのログを示す。
ログ７６は、出力自動制御が動作したときのログを示す。
【００３０】
情報管理装置４０は、所定の通信プロトコルに準拠した通信処理を実行する通信部４１と、各種の情報処理を実行する制御部４２と、制御部４２により参照、更新されるデータを記憶する記憶領域である記憶部４３と、を含む。
【００３１】
記憶部４３は、ＨＤＤ、ＳＳＤ等の不揮発性の記録媒体からなり、ログ情報テーブル４３１を格納する。ログ情報テーブル４３１は、制御ユニット３０から送信されるログを記憶する。
【００３２】
制御部４２は、データ受信部４２１と、データ送信部４２２と、を含む。制御部４２はハードウェア資源とソフトウェア資源の協働、又はハードウェア資源のみにより実現できる。ハードウェア資源としてプロセッサ、ＲＯＭ、ＲＡＭ、その他のＬＳＩを利用できる。プロセッサとしてＣＰＵ、ＧＰＵ等を利用できる。ソフトウェア資源としてオペレーティングシステム、アプリケーション等のプログラムを利用できる。データ受信部４２１は、制御ユニット３０から送信されるログを通信部４１を介して受信する。データ受信部４２１は、受信したログをログ情報テーブル４３１に記録する。データ送信部４２２は、ログ情報テーブル４３１に記憶されたログを管理サーバ５０に送信する。
【００３３】
管理サーバ５０は、所定の通信プロトコルに準拠した通信処理を実行する通信部５１と、各種の情報処理を実行する制御部５２と、制御部５２により参照、更新されるデータを記憶する記憶領域である記憶部５３と、を含む。
【００３４】
記憶部５３は、ＨＤＤ、ＳＳＤ等の不揮発性の記録媒体からなり、ログ情報テーブル５３１を含む。ログ情報テーブル５３１は、情報管理装置４０から送信されるログを記憶する。
【００３５】
制御部５２は、データ受信部５２１と、要求受信部５２２と、統計データ生成部５２３と、画面生成部５２４と、画面提供部５２５と、を含む。制御部５２は、さらに分析部５２６を含んでいてもよい。制御部５２はハードウェア資源とソフトウェア資源の協働、又はハードウェア資源のみにより実現できる。ハードウェア資源としてプロセッサ、ＲＯＭ、ＲＡＭ、その他のＬＳＩを利用できる。プロセッサとしてＣＰＵ、ＧＰＵ等を利用できる。ソフトウェア資源としてオペレーティングシステム、アプリケーション等のプログラムを利用できる。データ受信部５２１は、情報管理装置４０から送信されたログを通信部５１を介して受信する。データ受信部５２１は、受信したログをログ情報テーブル５３１に記憶する。
【００３６】
要求受信部５２２は、各種画面の提供要求を通信部５１を介して端末装置６０から受信する。統計データ生成部５２３は、要求受信部５２２が画面の提供要求を受信すると、ログ情報テーブル５３１を参照して要求された画面に応じた統計データを生成する。例えば統計データ生成部５２３は、ログ解析画面の提供要求を受信すると、図３で後述するログ解析画面に含まれる統計データを生成する。また例えば統計データ生成部５２３は、出力自動制御動作状況画面の提供要求を受信すると、図４で後述する出力自動制御動作状況画面に含まれる統計データを生成する。
【００３７】
画面生成部５２４は、統計データ生成部５２３が生成した統計データを含む画面であって端末装置６０から要求された画面を生成する。画面提供部５２５は、画面生成部５２４が生成した画面の画面データを通信部５１を介して端末装置６０に送信する。
【００３８】
分析部５２６は、統計データ生成部５２３によって生成された統計データを分析し、処置部２１ａへのエネルギー出力操作についての改善ポイントを生成する。例えば分析部５２６は、特定の医療施設における特定の出力モードでのエネルギー出力操作において処置部２１ａへのエネルギー出力が規定の出力時間を超える傾向が高い（発生回数が所定の閾値以上である）場合に、その特定の医療施設の特定の出力モードでのエネルギー出力操作を改善ポイントとして特定する。分析部５２６は、特定した改善ポイントが表示された画面を生成し、端末装置６０に提供（送信）してもよい。なお、分析部５２６は人工知能により実現されていてもよい。
【００３９】
端末装置６０は、例えばノートＰＣやタブレット端末であり、所定の通信プロトコルに準拠した通信処理を実行する通信部６１と、情報提供および操作入力を担当するＵＩ部６２と、各種の情報処理を実行する制御部６３と、を含む。
【００４０】
制御部６３は、データ受信部６３１と、要求送信部６３２と、出力部（表示制御部）６３３と、を含む。制御部６３はハードウェア資源とソフトウェア資源の協働、又はハードウェア資源のみにより実現できる。ハードウェア資源としてプロセッサ、ＲＯＭ、ＲＡＭ、その他のＬＳＩを利用できる。プロセッサとしてＣＰＵ、ＧＰＵ等を利用できる。ソフトウェア資源としてオペレーティングシステム、アプリケーション等のプログラムを利用できる。要求送信部６３２は、ＵＩ部６２において受け付けられた各種画面の送信要求を通信部６１を介して管理サーバ５０に送信する。データ受信部６３１は、管理サーバ５０から送信される各種画面の画面データを通信部６１を介して受信する。出力部６３３は、データ受信部６３１が受信した各種画面データに基づき各種画面を所定の表示部に表示させる。なお、出力部６３３は、各種画面すなわち統計データを、印刷装置に出力してもよい。
【００４１】
図３は、ログ解析画面の一例を示す図である。ログ解析画面は、ログ絞り込み領域８１と、ログ件数時系列表示領域８２と、処置具データ表示領域８３と、エネルギー出力情報表示領域８４と、エラー比率表示領域８５と、出力回数表示領域８６と、起動回数表示領域８７と、出力自動制御動作回数表示領域８８と、エラーカウント表示領域８９と、トラブルシューティング表示領域９０と、を含む。
【００４２】
ログ絞り込み領域８１には、統計データの基となるログを絞り込む条件が入力される。ログ絞り込み領域８１は、医療施設選択領域８１１と、診療科選択領域８１２と、術者選択領域８１３と、処置装置選択領域８１４と、処置具選択領域８１５と、症例選択領域８１６と、部位選択領域８１７と、日付入力領域８１８と、を含む。
【００４３】
医療施設選択領域８１１には、医療施設名がプルダウン形式などの選択形式で入力される。診療科選択領域８１２には、診療科名がプルダウン形式などの選択形式で入力される。なお、診療科選択領域８１２では、医療施設選択領域で選択された施設に属する診療科のいずれかまたはそのすべて（ＡＬＬ）を選択できる。術者選択領域８１３には、術者名がプルダウン形式などの選択形式で入力される。なお、術者選択領域８１３では、医療施設選択領域、診療科選択領域において選択された施設の診療科に属する術者のいずれかまたはそのすべて（ＡＬＬ）を選択できる。処置装置選択領域８１４では、処置装置ＩＤがプルダウン形式などの選択形式で入力される。なお、処置装置選択領域８１４では、医療施設選択領域、診療科選択領域において選択された施設の診療科に属する処置装置のいずれかまたはそのすべて（ＡＬＬ）を選択できる。処置具選択領域８１５には、処置具ＩＤがプルダウン形式などの選択形式で入力される。症例選択領域８１６には、症例名がプルダウン形式などの選択形式で入力される。部位選択領域８１７には、部位名がプルダウン形式などの選択形式で入力される。日付入力領域８１８には、各表示領域に表示される統計データの対象となる期間が入力される。
【００４４】
各表示領域には、ログ絞り込み領域８１に入力された条件により絞り込まれたログに基づいて生成される統計データが表示される。以下、それぞれについて説明する。
【００４５】
ログ件数時系列表示領域８２には、対象期間中に発生したすべてのログの件数が時系列に表示される。図３の例では、ログの件数は、ログの種別が識別可能な態様で、棒グラフで表示されている。ログの件数は、日付入力領域８１８に入力された期間に応じて、分単位、時間単位、日単位、週単位、月単位、または年単位で集計される。たとえば、３ヶ月以上の期間が選択された場合は月単位で表示されてもよい。また例えば、１時間の期間が選択された場合は分単位で表示されてもよい。あるいはまた、ログ件数を集計する集計単位をログ解析画面上で選択できるようにしてもよい。
【００４６】
ログ件数時系列表示領域８２を参照することにより、例えば、どの程度の割合で処置部２１ａへのエネルギー出力が規定の出力時間（例えば３秒）を超える傾向にあるか、すなわちどの程度不必要にエネルギーを出力しているかの傾向を把握できる。特に、ログ絞り込み領域８１において入力した絞り込み条件の単位で、どの程度不必要にエネルギーを出力しているかの傾向を把握できる。図３の例では、ログ絞り込み領域８１において医療施設「ＡＡＡ病院」の診療科「消化器外科」が選択されているので、「ＡＡＡ病院」の「消化器外科」が、どの程度不必要にエネルギーを出力しているかの傾向を把握できる。
【００４７】
また例えば、分単位で集計されたログの件数を時系列に表示させれば、手術の後半になるほどエネルギー出力が規定の出力時間を超える傾向にある、あるいは手術の後半になるほどエラーの発生頻度が高くなる、といった１つの手術の中での傾向を把握することができる。
【００４８】
またログ件数時系列表示領域８２には、対象期間中に発生したエラーログの件数だけが時系列に表示されてもよい。例えば、エラーログの件数が、エラーの種類が識別可能な態様で、棒グラフで表示されてもよい。
【００４９】
処置具データ表示領域８３には、処置具の種類別の使用比率がグラフ表示される。図３の例では、処置具の種類別の使用比率は円グラフで表示されている。なお、処置具表示領域には、処置具別（すなわち処置具のシリアル番号別）の使用比率が表示されてもよい。
【００５０】
エネルギー出力情報表示領域８４には、エネルギー出力操作に関する情報がグラフ表示される。図３の例では、エネルギー出力のモード別、出力レベル別、エネルギー出力時間別で集計したエネルギー出力操作の実施比率が円グラフで表示されている。
【００５１】
エネルギー出力情報表示領域８４を参照することにより、どのモードのエネルギー出力操作のときに処置部２１ａへのエネルギー出力が規定の出力時間（例えば３秒）を超える傾向にあるか、すなわちどのモードのエネルギー出力操作が不得意であるかが分かる。特に、ログ絞り込み領域８１において入力した条件の単位で、どのモードのエネルギー出力操作が不得意であるかが分かる。
【００５２】
なお、エネルギー出力情報表示領域８４には、エネルギー出力のモード、処置された生体組織の部位、使用された処置具２０の種類のうちの少なくとも１つの集計単位別、かつ、エネルギー出力時間別で集計したエネルギー出力操作の実施比率が表示されてもよい。具体的には例えば、エネルギー出力のモード別、処置された生体組織の部位別、かつ、エネルギー出力時間別で集計したエネルギー出力操作の実施比率が表示されてもよい。
【００５３】
エラー比率表示領域８５には、エラー別の発生回数比率がグラフ表示される。図３の例では、エラーの種類別で集計したエラー発生回数比率が円グラフで表示されている。
【００５４】
エラー比率表示領域８５を参照することにより、どのエラーが多く発生する傾向にあるかがわかる。特に、ログ絞り込み領域８１において入力した条件の単位で、どのエラーが頻発しているのか、あるいはどのモードのエネルギー出力操作が不得意であるかが分かる。
【００５５】
なお、エラー比率表示領域８５には、エラーに関係するエネルギー出力操作、すなわちエラーが発生する直前に実施されたエネルギー出力操作であってエラーの原因と考えられるエネルギー出力操作において処置された生体組織の部位、使用された処置装置１０の種類、処置部２１ａへのエネルギー出力の出力モード、エネルギー出力時間のうちの少なくとも１つの集計単位別で集計したエラーの発生回数比率が表示されてもよい。
【００５６】
出力回数表示領域８６には、エネルギー出力操作が実施された回数が表示される。
起動回数表示領域８７には、制御ユニット３０を起動した回数が表示される。
出力自動制御動作回数表示領域８８には、出力自動制御が動作した回数が表示される。
エラーカウント表示領域８９には、エラーの発生回数が表示される。
【００５７】
トラブルシューティング表示領域９０には、エラーの一覧が表示される。具体的には、トラブルシューティング表示領域９０には、エラーコード９１と、エラー概要９２と、考えられる発生原因９３と、対策９４と、が表示される。
【００５８】
図４は、出力自動制御動作状況画面の一例を示す図である。出力自動制御動作状況画面は、ログ絞り込み領域９５と、集計結果表示領域９６と、出力自動制御動作状況表示領域９７と、を含む。
【００５９】
ログ絞り込み領域９５には、統計データの基となるログを絞り込む条件が入力される。ログ絞り込み領域９５は、医療施設選択領域９５１と、診療科選択領域９５２と、術者選択領域９５３と、処置装置選択領域９５４と、処置具選択領域９５５と、症例選択領域９５６と、部位選択領域９５７と、を含む。医療施設選択領域９５１、診療科選択領域９５２、術者選択領域９５３、処置装置選択領域９５４、処置具選択領域９５５、症例選択領域９５６、部位選択領域９５７はそれぞれ、図３の医療施設選択領域８１１、診療科選択領域８１２、術者選択領域８１３、処置装置選択領域８１４、処置具選択領域８１５、症例選択領域８１６、部位選択領域８１７と対応する。
【００６０】
集計結果表示領域９６には、ログ絞り込み領域９５に入力された条件により絞り込まれたログを日付別、処置装置別、ハンドピース別、症例別に集計して得られる各種統計データが表示される。具体的には、集計結果表示領域９６には、エネルギー出力回数表示領域９６１と、総エネルギー出力秒数表示領域９６２と、エネルギー出力が継続された時間が規定の出力時間を超えた回数であるエネルギー出力回数（秒数超過）表示領域９６３と、出力自動制御動作回数表示領域９６４と、出力回数に対する出力自動制御動作回数の割合である出力自動制御動作率表示領域９６５と、処置具２０の劣化や破壊に関わる重大なエラーであるエラーコード「Ｅｒｒ０１」のエラーが発生した回数が表示されるＥｒｒ０１発生回数表示領域９６６と、軽微なエラーであるその他のエラーが発生した回数が表示されるＥｒｒ０１以外発生回数表示領域９６７と、を含む。
【００６１】
出力自動制御動作状況表示領域９７には、集計結果表示領域９６において選択された症例について、各エネルギー出力の出力時間が時系列にグラフ表示される。図４の例では、各エネルギー出力の出力時間は、その出力モードが識別可能な態様で、時系列に棒グラフで表示されている。具体的には、出力モードごとに異なる色で棒グラフ表示されている。また、出力自動制御動作状況表示領域９７には、出力自動制御の動作、Ｅｒｒ０１の発生、Ｅｒｒ０１以外の発生が時系列で表示される。
【００６２】
図４の例では、集計結果表示領域９６において２つの症例が選択され、出力自動制御動作状況表示領域９７にはその２つの症例についての情報が表示されている。図４の例では特に、２つの同一症例についての情報であって、出力自動制御の機能を有しない処置装置１０が使用された症例（出力自動制御動作状況表示領域９７の左側）と出力自動制御の機能を有する処置装置１０が使用された症例（出力自動制御動作状況表示領域９７の右側）とが表示されている。図４より、出力自動制御の機能を有する処置装置１０を導入することにより、エネルギー出力が規定の出力時間（例えば３秒）以上継続された回数が減少し、エラーの発生回数が減少していることが分かる。このことから、処置具２０の劣化や破壊が抑制されることも分かる。さらに、出力自動制御の機能によって不必要にエネルギーを出力する時間が削減されることにより、手術時間が短縮されることが分かる。したがって、このようなデータを医療施設に提示することで、出力自動制御の機能を有する処置装置１０の優位性を実感してもらうことができ、出力自動制御の機能を有する処置装置１０の販売を促進できる。
【００６３】
以上説明した実施の形態に係る情報処理システム１によると、制御ユニット３０において出力された各種のログに基づいて、エネルギー出力に関する各種の統計データが生成され、その統計データを含む画面が生成され、所定の表示部に表示される。ユーザがその画面または統計データの印刷物を術者に提示することにより、術者は処置装置１０のエネルギー出力操作に関する現状や改善点を把握できる。このとき、ユーザは統計データに基づいて処置装置１０のエネルギー出力操作に関する改善点を術者に提案することもできる。あるいは、ユーザはエネルギー出力に関する各種の統計データを分析して得られた、エネルギー出力操作についての改善ポイントが表示された画面を術者に提示することにより、術者は処置装置１０のエネルギー出力操作に関する改善点を把握できる。つまり、本実施の形態に係る情報処理システム１によれば、被検体の生体組織を処置するための処置装置１０を操作する操作者に対して、エネルギー出力に関する操作を改善するための情報を提供できる。
【００６４】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００６５】
（第１の変形例）
図５は、第１の変形例に係る情報処理システム１の構成を示すブロック図である。情報処理システム１は、処置装置１０と、管理サーバ５０と、端末装置６０と、を備える。すなわち本変形例では、情報処理システム１は情報管理装置４０を備えていない。
【００６６】
制御ユニット３０のデータ送信部３４７は、ログファイル３５３に出力されたログを通信部３３を介して管理サーバ５０に送信する。データ受信部５２１は、制御ユニット３０から送信されたログを通信部５１を介して受信する。
【００６７】
（第２の変形例）
図６は、第２の変形例に係る情報処理システム１の構成を示すブロック図である。情報処理システム１は、処置装置１０と、端末装置６０と、を備える。すなわち本変形例では、情報処理システム１は情報管理装置４０および管理サーバ５０を備えていない。
【００６８】
制御ユニット３０のデータ送信部３４７は、ログファイル３５３に出力されたログを通信部３３を介して端末装置６０に送信する。
【００６９】
端末装置６０は、所定の通信プロトコルに準拠した通信処理を実行する通信部６１と、情報提供および操作入力を担当するＵＩ部６２と、各種の情報処理を実行する制御部６３と、制御部６３により参照、更新されるデータを記憶する記憶領域である記憶部６４と、を含む。
【００７０】
記憶部６４は、ログ情報テーブル６４１を含む。ログ情報テーブル６４１は、実施の形態の管理サーバ５０のログ情報テーブル５３１に対応する。
【００７１】
制御部６３は、データ受信部６３１と、出力部６３３と、統計データ生成部６３４と、画面生成部６３５と、を含む。制御部６３は、さらに分析部６３６を含んでいてもよい。統計データ生成部６３４、画面生成部６３５、分析部６３６はそれぞれ、実施の形態の管理サーバ５０の統計データ生成部５２３、画面生成部５２４、分析部５２６に対応する。
【００７２】
（第３の変形例）
図７は、第３の変形例に係る情報処理システム１の構成を示すブロック図である。情報処理システム１は、処置装置１０と、情報管理装置４０と、管理サーバ５０と、を備える。すなわち本変形例では、情報処理システム１は端末装置６０を備えていない。
【００７３】
管理サーバ５０の画面提供部５２５は、生成された各種画面データを、通信部５１を介して情報管理装置４０に送信する。
【００７４】
情報管理装置４０は、ＵＩ部４４をさらに備える。また、情報管理装置４０の制御部４２は、要求送信部４２３と、出力部４２４と、をさらに含む。要求送信部４２３、出力部４２４はそれぞれ、実施の形態の要求送信部６３２、出力部６３３に対応する。
【００７５】
（第４の変形例）
図８は、第４の変形例に係る情報処理システム１の構成を示すブロック図である。情報処理システム１は、処置装置１０と、情報管理装置４０と、を備える。すなわち本変形例では、情報処理システム１は管理サーバ５０および端末装置６０を備えていない。
【００７６】
情報管理装置４０は、ＵＩ部４４をさらに備える。また、情報管理装置４０の制御部４２は、統計データ生成部４２５と、画面生成部４２６と、出力部４２４と、をさらに含む。制御部４２は、さらに分析部４２７を含んでいてもよい。統計データ生成部４２５、画面生成部４２６、分析部４２７、出力部４２４はそれぞれ、実施の形態の統計データ生成部５２３、画面生成部５２４、分析部５２６、出力部６３３に対応する。
【００７７】
（第５の変形例）
実施の形態では特に言及しなかったが、統計データ生成部５２３は、症例ごとにプローブチェック（動作チェック）が実行されているか否か、すなわちプローブチェックの実施率を統計データとして生成してもよい。具体的には、統計データ生成部５２３は、例えば情報管理装置４０、端末装置６０を介して、所定の期間における症例数を取得する。また、統計データ生成部５２３は、その期間におけるプローブチェックの実行回数を、ログ情報テーブル５３１に記憶されているログから抽出する。統計データ生成部５２３は、取得した症例数と、抽出したプローブチェックの実行回数から、プローブチェックの実行率を算出する。これにより、症例ごとにプローブの動作チェックが行われているのかどうかを術者が把握することができる。
【００７８】
（第６の変形例）
第３〜第５の変形例では特に言及しなかったが、実質的にリアルタイムに、統計データを生成してその統計データに基づく分析結果画面を所定の表示部に表示させてもよい。この場合、第３、４変形例の各データ送信部は、ログが出力されるとそのログを実質的にリアルタイムにすなわち即時に送信する。また、第３〜５変形例の各統計データ生成部は、ログが出力されるとあるいはログが受信されると、実質的にリアルタイムにすなわち即時に統計データを更新する。この場合、例えば症例（手術）の開始から現在までの間に出力されたログを統計データの対象とすればよい。分析部は、統計データに基づいて、リアルタイムに改善ポイントを提供する。例えば分析部は、統計データが更新されると、あるいは所定の周期（例えば１分周期）で、改善ポイントを提供してもよい。また、統計データが更新されると、あるいは所定の周期（例えば１分周期）で、画面生成部がログ解析画面や出力自動制御動作状況画面を更新し、出力部が更新されたログ解析画面や出力自動制御動作状況画面を即時に表示させてもよい。
【００７９】
（第７の変形例）
実施の形態および上述の変形例では特に言及しなかったが、エネルギー出力に関するランキングを示す統計データを生成し、その統計データを示す画面を所定の表示部に表示させてもよい。各統計データ生成部は例えば、ユーザにより指定された期間のログに基づいて、医療施設別、医療施設および診療科別、術者別、術者および出力モード別、処置装置別、または症例別に、以下の統計データを生成する。
・エラー発生件数
・重大エラー発生件数
・１症例あたりの平均エラー発生件数
・１症例あたりの平均重大エラー発生件数
・規定の出力時間以上のエネルギー出力が実施された回数
・規定の出力時間以上のエネルギー出力が実施された１症例あたりの平均回数
【００８０】
各画面提供部は、各統計データ生成部が生成したエネルギー出力に関するランキングを示す統計データを、件数順や回数順に表示した画面を生成する。各出力部は、生成されたランキングを示す統計データを含む画面を所定の表示部に表示する。
【００８１】
医療施設別、医療施設および診療科別、術者別、または術者および出力モード別にランキングを示す統計データを出力することで、処置装置１０の使用方法についての説明会を実施すべき医療施設、診療科、術者を把握できる。また、医療施設ごと、診療科ごと、術者ごとに、何から改善すればよいのか優先順位をつけることができる。
【００８２】
また、特定の処置装置でエラー発生件数等が多い場合、その処置装置に不具合が生じている可能性がある。したがって、処置装置別にランキングを示す統計データを出力することで、メンテナンスが必要な可能性が高い処置装置を把握できる。
【００８３】
また、症例別にランキングを示す統計データを出力することで、その症例に処置装置１０を使用する上で処置装置に改善の余地があるか否かを把握できる。
【符号の説明】
【００８４】
１  情報処理システム、  １０  処置装置、  ２０  処置具、  ３０  制御ユニット、  ４０  情報管理装置、  ５０  管理サーバ、  ６０  端末装置、  ５２３  統計データ生成部、  ６３３  出力部。
【産業上の利用可能性】
【００８５】
本発明は、被検体の生体組織を処置するための処置装置を操作する操作者に対して、エネルギー出力操作に関する情報を提供する情報処理システムおよび情報処理装置に利用できる。
【図１】
2018220925.tif 000003
【図２】
2018220925.tif 000004
【図３】
2018220925.tif 000005
【図４】
2018220925.tif 000006
【図５】
2018220925.tif 000007
【図６】
2018220925.tif 000008
【図７】
2018220925.tif 000009
【図８】
2018220925.tif 000010
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
被検体の生体組織を処置するための処置装置における処置部へのエネルギー出力が継続された時間と、生体組織の処置が完了したとの判断に基づく前記処置部へのエネルギー出力を自動的に変化させるための制御の発生との関連性を示す統計データを生成する統計データ生成部と、
前記統計データを表示部に表示させる表示制御部と、を備えることを特徴とする情報処理システム。
【請求項２】
前記統計データ生成部は、前記処置部へのエネルギー出力が継続された時間について統計データを生成することを特徴とする請求項１に記載の情報処理システム。
【請求項３】
前記統計データ生成部は、処置された生体組織の部位、前記処置装置の種類、または前記処置部へのエネルギー出力の出力モードの少なくとも１つと、前記処置部へのエネルギー出力が継続された時間との関連性を示す統計データを生成することを特徴とする請求項１に記載の情報処理システム。
【請求項４】
前記統計データ生成部は、前記処置部へのエネルギー出力の出力モードと、生体組織の処置が完了したとの判断に基づく前記処置部へのエネルギー出力を自動的に変化させるための制御の発生との関連性を示す統計データを生成することを特徴とする請求項１に記載の情報処理システム。
【請求項５】
前記統計データ生成部は、前記処置装置の動作チェックについての統計データを生成することを特徴とする請求項１に記載の情報処理システム。
【請求項６】
前記統計データ生成部は、処置された生体組織の部位、前記処置装置の種類、前記処置部へのエネルギー出力の出力モード、前記処置部へのエネルギー出力が継続された時間の少なくとも１つと、前記処置部へのエネルギー出力におけるエラー情報との関連性を示す統計データを生成することを特徴とする請求項１に記載の情報処理システム。
【請求項７】
前記統計データ生成部により生成された統計データに基づいて、前記処置部へのエネルギー出力操作についての改善ポイントを提供する分析部をさらに備えることを特徴とする請求項１に記載の情報処理システム。
【請求項８】
前記統計データ生成部は、実質的にリアルタイムに統計データを生成し、
前記表示制御部は、リアルタイムに生成された前記統計データを表示部に即時に表示させることを特徴とする請求項１に記載の情報処理システム。
【請求項９】
被検体の生体組織を処置するための処置装置における処置部へのエネルギー出力が継続された時間と、生体組織の処置が完了したとの判断に基づく前記処置部へのエネルギー出力を自動的に変化させるための制御の発生との関連性を示す統計データを出力する出力部を備えることを特徴とする情報処理装置。
【請求項１０】
被検体の生体組織を処置するための処置装置における処置部へのエネルギー出力が継続された時間と、生体組織の処置が完了したとの判断に基づく前記処置部へのエネルギー出力を自動的に変化させるための制御の発生との関連性を示す統計データに基づいて提供される、前記処置部へのエネルギー出力操作についての改善ポイントを出力する出力部を備えることを特徴とする情報処理装置。
【国際調査報告】
2018220925.tif 000011
2018220925.tif 000012
2018220925.tif 000013
2018220925.tif 000014